(57)【要約】【課題】  内蔵アンテナ素子のアンテナ線がヒンジに不要であり、しかも筐体を長くする必要がほとんど無い携帯無線機を提供する。【解決手段】  上部筐体１と下部筐体２がヒンジ４によって結合した携帯無線機であって、下部筐体２の下端には第１のアンテナ素子５が配置され、さらに下部筐体２に配置されている電池セル３とヒンジ４の間には立体構造の板金で形成された第２のアンテナ素子６が配置されている。第１のアンテナ素子５と第２のアンテナ素子６はそれぞれ無線回路７での受信レベルの比較にて良好なアンテナを選択されるようになっている。【選択図】      図１
2005039696.tif 000002
【特許請求の範囲】
【請求項１】
上部筐体と下部筐体がヒンジによって結合した携帯無線機において、前記下部筐体の下端には第１のアンテナ素子が配置され、前記下部筐体に配置されている電池セルと前記ヒンジの間には立体構造の導電体で形成された第２のアンテナ素子が配置されていることを特徴とする携帯無線機
【請求項２】
前記第１のアンテナ素子と前記第２のアンテナ素子からの受信レベルを比較し良好なアンテナを選択する切換回路を有する請求項１に記載の携帯無線機。
【請求項３】
前記第２のアンテナ素子は、前記下部筐体のリア面側に配置されていることを特徴とする請求項１または２に記載の携帯無線機。
【請求項４】
前記第２のアンテナ素子と前記電池セルとの間に絶縁リブか形成された請求項３に記載の携帯無線機。
【発明の詳細な説明】
【技術分野】
【０００１】
本発明は、アンテナを内蔵する携帯無線機に関し、特に切り換え可能な２つのアンテナを内蔵する携帯無線機に関する。
【背景技術】
【０００２】
従来、携帯電話機のような小型携帯無線機のアンテナは、内蔵アンテナを採用する場合、ある程度の体積を確保することで通信性能を保つことが出来ている。内蔵アンテナを採用する場合、筐体下端にアンテナ素子を配置する場合、筐体を持つ位置等によっては、アンテナエレメント素子上を覆ってしまい、受信感度が低下する可能性がある。
【０００３】
また、２つのアンテナを異なる位置に配置することで、一方のアンテナ特性にとって条件が悪くなる場合においても、もう一方のアンテナを選択することで通信特性向上をねらうものがある。上部筐体と下部筐体がヒンジで結合された携帯電話機を考えた場合、下部筐体と上部筐体に分けて内蔵アンテナを配置することが考えられる（例えば、特許文献１）。ただし、特許文献１の場合、２つの内蔵アンテナが待受けと通話時とで切り換えるが、ヒンジで結合された上部筐体及び下部筐体それぞれに配置された内蔵アンテナをダイバーシチアンテナとして利用する携帯端末が、特許文献２に開示されている。
【０００４】
また、特許文献２では、一方の内蔵アンテナがヒンジ付近に設置されているものが提案されているが、ヒンジ付近にアンテナを配置するため、下部筐体の上部がヒンジから外側に突出した構造を採用し、その突出した下部筐体の上部にアンテナを配置している。
【０００５】
【特許文献１】特開平１１−１７７４８５号公報
【特許文献２】ＷＯ０２／０５４５３３２Ａ１（Ｆｉｇ．９）
【発明の開示】
【発明が解決しようとする課題】
【０００６】
しかしながら、特許文献１および２の発明の場合、２つの内蔵アンテナが上部筐体と下部筐体とで分離し選択するようになっているので、ヒンジ内に一方の内蔵アンテナのアンテナ接続線が必要である。
【０００７】
また、特許文献２の場合、下部筐体の上部がヒンジから外側に突出した構造を採用し、その突出した下部筐体の上部にアンテナを配置しているので、下部筐体がヒンジから延びた特殊な構造にする必要がある。しかも、下部筐体の長さが通常よりかなり長くなる。
【０００８】
本発明の目的は、内蔵アンテナ素子のアンテナ線がヒンジに不要であり、しかも筐体を長くする必要がほとんど無い携帯無線機を提供することにある。
【課題を解決するための手段】
【０００９】
本発明では小空間であるヒンジと電池セルの間に設置することで、小型無線機の外観デザインを損ねないようになっている。
【００１０】
本発明による携帯無線機は、上部筐体と下部筐体がヒンジによって結合した携帯無線機において、下部筐体の下端には第１のアンテナ素子が配置されている。さらに下部筐体に配置されている電池セルとヒンジの間には立体構造の導電体で形成された第２のアンテナ素子が配置されている。
【００１１】
本発明では、好ましくは、第１のアンテナ素子と第２のアンテナ素子はそれぞれ無線回路での受信レベルの比較にて良好なアンテナを選択されるようになっている。
【発明の効果】
【００１２】
本発明では、下部筐体の下端には第１のアンテナ素子が配置され、下部筐体に配置されている電池セルとヒンジの間には立体構造の導電体で形成された第２のアンテナ素子が配置されているので、狭い空間に第２のアンテナ素子を配置することができ、第２のアンテナ素子が電池セルや基板の実装の邪魔にならない。
【００１３】
また、下部筐体を長くする必要もほとんど無い。
【発明を実施するための最良の形態】
【００１４】
次に、本発明の実施の形態について図面を参照して詳細に説明する。
【００１５】
図１は本発明のフットスイッチ装置の実施の形態を示し、（ａ）は側面図、（ｂ）は正面図である。図１において、本発明の実施の形態は、図示しない表示部を有する上部筐体１と下部筐体２がヒンジ４によって開閉自在な折畳方式の携帯無線機（ここでは携帯電話機として機能するもの）である。
【００１６】
下部筐体２の下端２０付近の基板上には、Ｌ字型のパターンにて形成された第１のアンテナ素子５が配置されている。さらに下部筐体２のリア面２１に配置されている電池セル３とヒンジ４の間には立体構造の板金（例えばコの字型や、Ｌ字型の板金）で形成された第２のアンテナ素子６が配置されている。第１のアンテナ素子５と第２のアンテナ素子６はそれぞれ無線回路７での受信レベルの比較にて良好なアンテナを選択されるようになっている。無線回路７は、図１のように第２のアンテナ素子６と電池セル３との間に配置されても、あるいは電池セル３の上部に回路基板を配置し、その基板に実装しても良い。なお、無線回路７には、第１および第２のアンテナ素子５，６の切換回路のほかに、携帯電話機として機能するための送信回路、受信回路を有する。また、図示しない基板上には、そのほか制御回路を有する。
【００１７】
下部筐体２において、無線回路７が給電点８，９を介して第１のアンテナ素子５と第２のアンテナ素子６とに接続されている。第２のアンテナ素子６は、立体構造の板金に形成され、下部筐体２のリア面２１の側に固定され、電池セル３とヒンジ４との間の空間に配置されている。
【００１８】
無線回路７の切換回路は、第１のアンテナ素子５と第２のアンテナ素子６を一定条件で切り換える。すなわち、それぞれ選択された時の各アンテナ素子からの受信レベルを比較し、常に良好なアンテナ素子からの受信信号を選択することが可能となっている。第１のアンテナ素子５が、例えば掌にて覆われた場合のように通信条件が劣化した時には、第２のアンテナ素子６を選択、逆の条件の場合、第２から第１へ変更といった具合に劣化を防ぐことにより通信特性を向上させる。
【００１９】
ところで、本発明の実施の形態の場合、第２のアンテナ素子６は、立体構造の板金等の導電体で構成され、下部筐体２のリア面２１の側に固定され、電池セル３とヒンジ４との間の空間、すなわち隙間に配置されているので、第２のアンテナ素子が電池セル３や基板の実装の邪魔にならない。なお、第２の案手は素子６と電池セル３とが互いに接触しないよう、絶縁体のリブ（図示略）がリア側からフロント側に延びている。
【００２０】
本発明は、以上説明した実施の形態に限定されるものではない。たとえば、図１において上部筐体１と下部筐体２がヒンジ４を介して折り畳み可能に開閉する携帯無線機が開示されているが、上部筐体と下部筐体が回転ヒンジを介して結合し、上部筐体が下部筐体の表面に平行に回転する携帯無線機にも適用可能である。
【図面の簡単な説明】
【００２１】
【図１】本発明の携帯無線機の実施の形態を示し、（ａ）は側面図、（ｂ）は正面図である。
【符号の説明】
【００２２】
１    上部筐体
２    下部筐体
３    電池セル
４    ヒンジ
５    第１のアンテナ素子
６    第２のアンテナ素子
７    無線回路
８    給電点
９    給電点
【図１】
2005039696.tif 000003